(57)【特許請求の範囲】
【請求項１】
ＵＲＬを保存して、ＵＲＬ媒体認証情報が設定されており、前記ＵＲＬをスマート機器に渡すことができるＵＲＬ媒体と；
前記ＵＲＬを前記ＵＲＬ媒体から受信し、個人ポータルサーバーと接続し、個人ポータルサイト接続ページを前記個人ポータルサーバーと通信して，  前記個人ポータルサイト接続ページを前記ＵＲＬ媒体のユーザーに伝達して、前記ＵＲＬ媒体認証情報を前記ユーザーから受信し、前記ＵＲＬ媒体認証情報を前記個人ポータルサーバーに伝達し、個人ポータルサイトログインページを前記個人ポータルサーバーと通信し、前記個人ポータルサイトログインページを前記ユーザーに伝達し、２次サーバー接続要求を前記ユーザーから受信し、２次サーバーと接続し、２次サイト接続ページを前記２次サーバーと通信して、前記２次サイト接続ページを前記ユーザーに伝達し、  ユーザー認証情報を前記ユーザーから受信し、前記ユーザー認証情報を前記２次サーバーに伝達して、２次サイトログインページを前記２次サーバーと通信して、前記２次サイトログインページを前記ユーザーに渡すことができるスマート機器と；
前記スマート機器と接続し、前記個人ポータルサイト接続ページを前記スマート機器と通信して、前記ＵＲＬ媒体認証情報を前記スマート機器から受信し、前記ＵＲＬと前記ＵＲＬ媒体認証情報でログインを決定し、前記個人ポータルサイトログインページを前記スマート機器と通信することができる個人ポータルサーバーと；
前記スマート機器と接続し、前記２次サイト接続ページを前記スマート機器と通信し、前記ユーザー認証情報を前記スマート機器から受信し、個人ポータルサイトの情報や前記ユーザー認証情報でログインを決定し、前記２次サイトログインページを前記スマート機器と通信することができる２次サーバーと；を備え、
ＵＲＬとＵＲＬ媒体認証情報として前記個人ポータルサイトにログインすることと連携して前記個人ポータルサイトの情報やユーザー認証情報として２次サイトにログインする
ことを特徴とするインターネットポータルシステム。
【請求項２】
ａ）ＵＲＬ媒体がＵＲＬをスマート機器に伝達する段階；
ｂ）前記スマート機器が個人ポータルサーバーと接続し、個人ポータルサイト接続ページを前記個人ポータルサーバーと通信し、前記個人ポータルサイト接続ページを前記ＵＲＬ媒体のユーザーに伝達して、ＵＲＬ媒体認証情報を前記ユーザーから受信し、前記ＵＲＬ媒体認証情報を前記個人ポータルサーバーに伝達する段階；
ｃ）前記個人ポータルサーバーが前記ＵＲＬ媒体認証情報を管理し、前記ＵＲＬと前記ＵＲＬ媒体認証情報でログインを決定し、個人ポータルサイトログインページを前記スマート機器と通信する段階；
ｄ）前記スマート機器が前記個人ポータルサイトログインページを前記ユーザーに伝達して、２次サーバー接続要求を前記ユーザーから受信し、２次サーバーと接続し、２次サイト接続ページを前記２次サーバーと通信し、前記２次サイト接続ページを前記ユーザーに伝達して、ユーザー認証情報を前記ユーザーから受信し、前記ユーザー認証情報を前記２次サーバーに伝達する段階；
ｅ）前記２次サーバーが前記ユーザー認証情報を管理し、個人ポータルサイトの情報や前記ユーザー認証情報でログインを決定し、２次サイトログインページを前記スマート機器に伝達する段階；
ｆ）前記スマート機器が前記２次サイトログインページを前記ユーザーに伝達する段階；を有し、
ＵＲＬとＵＲＬ媒体認証情報として前記個人ポータルサイトにログインすることと連携して前記個人ポータルサイトの情報やユーザー認証情報として２次サイトにログインする
ことを特徴とするインターネットポータル使用方法。
【請求項３】
２次別途情報を含むＵＲＬを保存して、ＵＲＬ媒体認証情報が設定されており、前記ＵＲＬをスマート機器に伝達することができているＵＲＬ媒体と；
前記ＵＲＬを前記ＵＲＬ媒体から受信し、個人ポータルサーバーと接続し、前記２次別途情報に対応する２次別途情報ウィンドウを含む個人ポータルサイト接続ページを前記個人ポータルサーバーと通信し、前記個人ポータルサイト接続ページを前記ＵＲＬ媒体のユーザーに伝達して、前記ＵＲＬ媒体認証情報と前記２次別途情報ウィンドウをクリックして選択された２次別途情報を前記ユーザーから受信し、前記ＵＲＬ媒体認証情報と前記２次別途情報を前記個人ポータルサーバーに伝達して、２次サイト接続ページを２次サーバーと通信して、前記２次サイト接続ページを前記ユーザーに伝達して、ユーザー認証情報を前記ユーザーから受信し、前記ユーザー認証情報を前記２次サーバーに伝達して、２次サイトログインページを前記２次サーバーと通信して、前記２次サイトログインページを前記ユーザーに渡すことができるスマート機器と；
前記スマート機器と接続し、前記個人ポータルサイト接続ページを前記スマート機器と通信して、前記ＵＲＬ媒体認証情報と前記２次別途情報を前記スマート機器から受信し、前記ＵＲＬと前記ＵＲＬ媒体認証情報でログインを決定し、スマート機器情報と前記２次別途情報を前記２次サーバーと通信することができる個人ポータルサーバーと；
前記スマート機器情報と前記２次別途情報を前記個人ポータルサーバーと通信して、前記２次サイト接続ページを前記スマート機器と通信し、前記ユーザー認証情報を前記スマート機器から受信し、個人ポータルサイトの情報や前記ユーザー認証情報でログインを決定し、前記２次サイトログインページを前記スマート機器と通信することができる２次サーバー；を備え、
ＵＲＬとＵＲＬ媒体認証情報として前記個人ポータルサイトにログインすることと連携して前記個人ポータルサイトの情報やユーザー認証情報として２次サイトにログインする
ことを特徴とするインターネットポータルシステム。
【請求項４】
ａ）ＵＲＬ媒体が２次別途情報を含むＵＲＬをスマート機器に伝達する段階；
ｂ）前記スマート機器が個人ポータルサーバーと接続し、前記２次別途情報に対応する２次別途情報ウィンドウを含む個人ポータルサイト接続ページを前記個人ポータルサーバーと通信し、前記個人ポータルサイト接続ページを前記ＵＲＬ媒体のユーザーに伝達して、ＵＲＬ媒体認証情報と前記２次別途情報ウィンドウをクリックして選択された２次別途情報を前記ユーザーから受信し、前記ＵＲＬ媒体認証情報と前記２次別途情報を前記個人ポータルサーバーに伝達する段階；
ｃ）前記個人ポータルサーバーが前記ＵＲＬ媒体認証情報と前記２次別途情報を管理し、前記ＵＲＬと前記ＵＲＬ媒体認証情報でログインを決定し、スマート機器情報と前記２次別途情報を２次サーバーに伝達する段階；
ｄ）前記２次サーバーが前記スマート機器情報と前記２次別途情報を管理し、２次サイト接続ページを前記スマート機器と通信する段階；
ｅ）前記スマート機器が前記２次サイト接続ページを前記ユーザーに伝達して、ユーザー認証情報を前記ユーザーから受信し、前記ユーザー認証情報を前記２次サーバーに伝達する段階；
ｆ）前記２次サーバーが前記ユーザー認証情報を管理し、個人ポータルサイトの情報や前記ユーザー認証情報でログインを決定し、２次サイトログインページを前記スマート機器に伝達する段階；
ｇ）前記スマート機器が前記２次サイトログインページを前記ユーザーに伝達する段階；を備え、
ＵＲＬとＵＲＬ媒体認証情報として前記個人ポータルサイトにログインすることと連携して前記個人ポータルサイトの情報やユーザー認証情報として２次サイトにログインする
ことを特徴とするインターネットポータル使用方法。
【請求項５】
ＵＲＬと決済機能を保存して、ＵＲＬ媒体認証情報が設定されており、前記ＵＲＬをスマート機器に伝達して、前記決済機能に対応する決済情報を決済端末機に渡すことができるＵＲＬ媒体と；
前記ＵＲＬを前記ＵＲＬ媒体から受信し、個人ポータルサーバーと接続し、個人ポータルサイト接続ページを前記個人ポータルサーバーと通信し、前記個人ポータルサイト接続ページを前記ＵＲＬ媒体のユーザーに伝達して、前記ＵＲＬ媒体認証情報を前記ユーザーから受信し、前記ＵＲＬ媒体認証情報を前記個人ポータルサーバーに伝達し、個人ポータルサイトログインページを前記個人ポータルサーバーと通信し、前記個人ポータルサイトログインページを前記ユーザーに伝達し、  ２次サーバー接続要求を前記ユーザーから受信し、２次サーバーと接続し、２次サイト接続ページを前記２次サーバーと通信して、前記２次サイト接続ページを前記ユーザーに伝達して、ユーザー認証情報を前記ユーザーから受信し、前記ユーザー認証情報を前記２次サーバーに伝達して、２次サイトログインページを前記  ２次サーバーと通信して、前記２次サイトログインページを前記ユーザーに伝達して、決済意思情報を前記ユーザーから受信し、前記決済意思情報を前記２次サーバーに渡すことができるスマート機器と；
前記スマート機器と接続し、個人ポータルサイト接続ページを前記スマート機器と通信して、前記ＵＲＬ媒体認証情報を前記スマート機器から受信し、前記ＵＲＬと前記ＵＲＬ媒体認証情報でログインを決定し、前記個人ポータルサイトログインページを前記スマート機器と通信することができる個人ポータルサーバーと；
前記スマート機器と接続し、前記２次サイト接続ページを前記スマート機器と通信し、前記ユーザー認証情報を前記スマート機器から受信し、個人ポータルサイトの情報や前記ユーザー認証情報でログインを決定し、前記２次サイトログインページを前記スマート機器に通信し、前記決済意思情報を前記スマート機器から受信し、前記決済意思情報を２次連動サーバーに渡すことができる２次サーバーと；
前記決済意思情報を前記２次サーバーから受信し、前記決済情報を前記決済端末機から受信し、承認結果情報を前記決済端末機に渡すことができる２次連動サーバーと；
前記決済情報を前記ＵＲＬ媒体から受信し、前記決済情報を前記２次連動サーバーに伝達し、前記承認結果情報を前記２次連動サーバーから受信することができる決済端末機と；を備え、
ＵＲＬとＵＲＬ媒体認証情報として前記個人ポータルサイトにログインすることと連携して前記個人ポータルサイトの情報やユーザー認証情報として２次サイトにログインして決済する
ことを特徴とするインターネットポータルシステム。
【請求項６】
ａ）ＵＲＬ媒体がＵＲＬをスマート機器に伝達する段階；
ｂ）前記スマート機器が個人ポータルサーバーと接続し、個人ポータルサイト接続ページを前記個人ポータルサーバーと通信し、前記個人ポータルサイト接続ページを前記ＵＲＬ媒体のユーザーに伝達して、ＵＲＬ媒体認証情報を前記ユーザーから受信し、前記ＵＲＬ媒体認証情報を前記個人ポータルサーバーに伝達する段階；
ｃ）前記個人ポータルサーバーが前記ＵＲＬ媒体認証情報を管理し、前記ＵＲＬと前記ＵＲＬ媒体認証情報でログインを決定し、個人ポータルサイトログインページを前記スマート機器と通信する段階；
ｄ）前記スマート機器が前記個人ポータルサイトログインページを前記ユーザーに伝達して、２次サーバー接続要求を前記ユーザーから受信し、２次サーバーと接続し、２次サイト接続ページを前記２次サーバーと通信し、前記２次サイト接続ページを前記ユーザーに伝達して、ユーザー認証情報を前記ユーザーから受信し、前記ユーザー認証情報を前記２次サーバーに伝達する段階；
ｅ）前記２次サーバーが前記ユーザー認証情報を管理し、個人ポータルサイトの情報や前記ユーザー認証情報でログインを決定し、２次サイトログインページを前記スマート機器に伝達する段階；
ｆ）前記スマート機器が前記２次サイトログインページを前記ユーザーに伝達して、決済意思情報を前記ユーザーから受信し、前記決済意思情報を前記２次サーバーに伝達する段階；
ｇ）前記２次サーバーが前記決済意思情報を管理し、前記決済意思情報を２次連動サーバーに伝達する段階；
ｈ）決済端末機が決済機能に対応する決済情報を前記ＵＲＬ媒体から受信し、前記決済情報を前記２次連動サーバーに伝達して；  前記２次連動サーバーが前記決済意思情報と前記決済情報を管理し、承認結果情報を前記決済端末機に伝達する段階；を有し、
ＵＲＬとＵＲＬ媒体認証情報として前記個人ポータルサイトにログインすることと連携して前記個人ポータルサイトの情報やユーザー認証情報として２次サイトにログインして決済する
ことを特徴とするインターネットポータル使用方法。
【発明の詳細な説明】
【技術分野】
【０００１】
本発明はインターネットポータルシステムとその使用方法に関するものであって、より具体的には、インターネットポータルを個人に合わせて提供し、セキュリティー性と便宜性が向上し、２次サイトとの連動性を付与して決済を支援するインターネットポータルシステムとその使用方法に関するものである。
【背景技術】
【０００２】
従来のインターネットポータルは誰でも接続できるため、接続段階から個人専用に使用するようにしたり個人に合わせて提供することができず、インターネットポータルに一気に接続することが難しく、インターネットポータルと２次サイトがユーザーを区別する方法はユーザーが記憶する認証情報を使用する方法であり、本発明のように、個人に割り当てられ、多様な情報を含むことができ、認証情報が設定されたＵＲＬが保存された媒体を使用し、２次サイトに接続したインターネットポータルの情報とユーザーが記憶する認証情報とを連係してユーザーを区別する属性の異なる認証情報と連動構造を適用することができない。
【０００３】
また、従来のインターネットポータルは２次サイトに連結する役割だけをするため、２次サイトと連動して決済を支援するサービスを提供することができない。
【発明の概要】
【発明が解決しようとする課題】
【０００４】
個人専用に個人に合わせられ、属性の異なる認証情報と多重ログイン構造で安全に利用し、簡単な動作で接続することができ、２次サイトと連動して多様なサービスを利用できる、インターネットポータルシステムと使用方法を提供する。
【０００５】
決済を支援するインターネットポータルシステムと使用方法を提供する。
【課題を解決するための手段】
【０００６】
ＵＲＬ媒体やスマート機器や個人ポータルサーバや個人ポータルサイトや２次サーバーや２次サイトやＵＲＬや個人ポータルサーバー接続や個人ポータルサイト接続ページやＵＲＬ媒体認証情報や個人ポータルサイトログインページや２次サーバー接続要請や２次サーバー接続や２次サイト接続ページやユーザー認証情報や２次サイトログインページなどが有機的に動作してＵＲＬとＵＲＬ媒体認証情報として個人ポータルサイトにログインすることと連携して個人ポータルサイトの情報やユーザー認証情報として２次サイトにログインすることができるインターネットポータルを提供したり（図１、４を参照）、ＵＲＬ媒体やスマート機器や個人ポータルサーバや個人ポータルサイトや２次バーナーや２次サイトや２次別途情報を含むＵＲＬや個人ポータルサーバー接続や２次別途情報ウィンドウを含む個人ポータルサイト接続ページやＵＲＬ媒体認証情報やスマート機器情報や２次サイト接続ページやユーザー認証情報や２次サイトログインページなどが有機的に動作してＵＲＬとＵＲＬ媒体認証情報として個人ポータルサイトにログインすることと連携して個人ポータルサイトの情報やユーザー認証情報として２次サイトにログインすることができるインターネットポータルを提供する（図２、５を参照）。
【０００７】
ＵＲＬ媒体やスマート機器や個人ポータルサーバや個人ポータルサイトや２次バーナーや２次サイトや決済端末機や２次連動サーバーやＵＲＬや個人ポータルサーバー接続や個人ポータルサイト接続ページやＵＲＬ媒体認証情報や個人ポータルサイトログインページや２次サーバー接続要求や２次サーバー接続や２次サイト接続ページやユーザー認証情報や２次サイトログインページや決済意思情報や決済情報や承認結果情報などが有機的に動作してＵＲＬとＵＲＬ媒体認証情報として個人ポータルサイトにログインすることと連携して個人ポータルサイトの情報やユーザー認証情報として２次サイトにログインして決済することができるインターネットポータルを提供する（図３、６を参照）。
【発明の効果】
【０００８】
インターネットポータルを個人専用に個人に合わせて利用することができ、個人の実際の生活とインターネットの生活情報を連結させることができ、インターネット生活を体系的かつ効果的に管理し利用することができ、インターネット生活のための個人の記憶負担を減らすことができ、インターネットサーバーに連結されると個人の主要サイトや関心サイトを端末機の変動や場所に関わらず、常に利用することができる。
【０００９】
個人の実際の生活情報を提供するのではなく、個人の身分を多重に確認した後に個人の生活情報がある２次サイトを連結するため、商業的な価値は高くなり、ハッキング価値は低くなり、２次サイトに接近するセキュリティー性は高くなり、属性が多様な認証情報および使用方法とオンラインの便利さとオフラインの安全さが組み合わせられた身分確認構造と多重ログイン構造を適用することができるため、経済的にセキュリティーができ、認証情報の流出を認知しやすいため対応がはやく、個人のＩＤまで変更しやすい。
【００１０】
個人に合わせられたインターネットポータルと２次サイトが連係する機能を利用して決済を支援することができ、個人専用のサイトであるが共通したサービスを提供することができるため、多様な収益（利用料、広告料、物品の販売収益など）を創り出すことができる。
【図面の簡単な説明】
【００１１】
【図１】ＵＲＬとＵＲＬ媒体認証情報として，  個人ポータルサイトにログインすることと連携して、個人ポータルサイトの情報やユーザー認証情報として、２次サイトにログインすることができるインターネットポータルシステムの構成図
【図２】ＵＲＬとＵＲＬ媒体認証情報として、個人ポータルサイトにログインすることと連携して、個人ポータルサイトの情報やユーザー認証情報として、２次サイトにログインすることができるインターネットポータルシステムの他の構成図
【図３】ＵＲＬとＵＲＬ媒体認証情報として、個人ポータルサイトにログインすることと連携して、個人ポータルサイトの情報やユーザー認証情報として、２次サイトにログインして決済することができるインターネットポータルシステムの構成図
【図４】図１の構成の動作フローチャート
【図５】図２の構成の動作フローチャート
【図６】図３の構成の動作フローチャート
【発明を実施するための形態】
【００１２】
以下、添付された図面を参照して本発明の好ましい実施例を詳細に説明する。本明細書および特許請求の範囲に使用された用語は、通常的または辞書的な意味に限定されて解釈されず、本発明の技術的事項に符合する意味と概念で解釈される。
【００１３】
本明細書に記載された実施例と図面に図示された構成は本発明の好ましい実施例であって、本発明の技術的思想をすべて代弁するものではないので、本出願の時点でこれらを代替できる多様な均等物と変形例が存在し得る。
【００１４】
インターネットポータルは、インターネットに入るために経なければならないという意味の「ドア」という意味であり、誰でも接続できるように提供され、ＵＲＬ（Ｕｎｉｆｏｒｍ  Ｒｅｓｏｕｒｃｅ  Ｌｏｃａｔｏｒ）はウェブ文書の各種サービスを提供するサーバーにあるファイルの位置を意味し、ページはインターネット端末機に情報が表れる画面を意味し、ＮＦＣ（Ｎｅａｒ  Ｆｉｅｌｄ  Ｃｏｍｍｕｎｉｃａｔｉｏｎ）通信はＵＲＬ媒体とスマート機器がＵＲＬを通信する時に使用される。
【００１５】
図１のように、ＵＲＬを保存して、ＵＲＬ媒体認証情報が設定されており、ＵＲＬをスマート機器に渡すことができるＵＲＬ媒体；  ＵＲＬをＵＲＬ媒体から受信し、個人ポータルサーバと接続し、個人ポータルサイト接続ページを個人ポータルサーバーと通信して、  個人ポータルサイト接続ページをＵＲＬ媒体のユーザーに伝達して、ＵＲＬ媒体認証情報をユーザから受信し、ＵＲＬ媒体認証情報を個人ポータルサーバに伝達し、個人ポータルサイトログインページを個人ポータルサーバーと通信し、個人ポータルサイトログインページをユーザに伝達し、２次サーバー接続要求をユーザから受信し、２次サーバーと接続し、２次サイト接続ページを２次サーバーと通信して、２次サイト接続ページをユーザに伝達し、  ユーザー認証情報をユーザから受信し、ユーザー認証情報を２次サーバーに伝達して、２次サイトログインページを２次サーバーと通信して、２次サイトログインページをユーザに渡すことができるスマート機器；スマート機器と接続し、個人ポータルサイト接続ページをスマート機器と通信して、ＵＲＬ媒体認証情報をスマート機器から受信し、ＵＲＬとＵＲＬ媒体認証情報でログインを決定し、個人ポータルサイトログインページをスマート機器と通信することができる個人ポータルサーバー；およびスマート機器と接続し、２次サイト接続ページをスマート機器と通信し、ユーザー認証情報をスマート機器から受信し、個人ポータルサイトの情報やユーザー認証情報でログインを決定し、２次サイトログインページをスマート機器と通信することができる２次サーバー；を含めてＵＲＬとＵＲＬ媒体認証情報として個人ポータルサイトにログインすることと連携して個人ポータルサイトの情報やユーザー認証情報として２次サイトにログインすることを特徴とするインターネットポータルシステムを提供する。
【００１６】
図４のように、ａ）ＵＲＬ媒体がＵＲＬをスマート機器に伝達する段階；ｂ）スマート機器が個人ポータルサーバと接続し、個人ポータルサイト接続ページを個人ポータルサーバーと通信し、個人ポータルサイト接続ページをＵＲＬ媒体のユーザーに伝達して、ＵＲＬ媒体認証情報をユーザから受信し、ＵＲＬ媒体認証情報を個人ポータルサーバに伝達する段階；ｃ）個人ポータルサーバーがＵＲＬ媒体認証情報を管理し、ＵＲＬとＵＲＬ媒体認証情報でログインを決定し、個人ポータルサイトログインページをスマート機器と通信する段階；ｄ）スマート機器が個人ポータルサイトログインページをユーザに伝達して、２次サーバー接続要求をユーザから受信し、２次サーバーと接続し、２次サイト接続ページを２次サーバーと通信し、２次サイト接続ページをユーザに伝達して、ユーザー認証情報をユーザから受信し、ユーザー認証情報を２次サーバーに伝達する段階；ｅ）２次サーバーがユーザー認証情報を管理し、個人ポータルサイトの情報やユーザー認証情報でログインを決定し、２次サイトログインページをスマート機器に伝達する段階；およびｆ）スマート機器が２次サイトログインページをユーザに伝達する段階；を含めてＵＲＬとＵＲＬ媒体認証情報として個人ポータルサイトにログインすることと連携して個人ポータルサイトの情報やユーザー認証情報として２次サイトにログインすることを特徴とするインターネットポータル方法を提供する。
【００１７】
個人ポータルサイトを通じて２次サイトにログインをする過程は、１段階として個人ポータルサーバーに連結する時にＵＲＬ媒体を所有したユーザーのみが接続できるためユーザーの身分が自動で確認され、２段階としてＵＲＬ媒体−認証情報で接続したユーザーを再度確認し、３段階として２次サイトが個人ポータルサイトの情報を利用して個人ポータルサイトを確認し、４段階として２次サイトのユーザー−認証情報でユーザーを確認する構造でなっており、これはオフラインにあるＵＲＬ媒体と個人の記憶とオンラインにある個人ポータルサイトの情報とが組合わせられてログインを安全かつ便利にできる構造を提供するが、１段階ではスマート機器の情報をさらに確認することができ、３段階は省略され得る。
【００１８】
図２のように、２次別途情報を含むＵＲＬを保存して、ＵＲＬ媒体認証情報が設定されており、ＵＲＬをスマート機器に伝達することができているＵＲＬ媒体；ＵＲＬをＵＲＬ媒体から受信し、個人ポータルサーバと接続し、２次別途情報に対応する２次サイト別途情報ウィンドウ（＝２次別途情報ウィンドウ）を含む個人ポータルサイト接続ページを個人ポータルサーバーと通信し、個人ポータルサイト接続ページをＵＲＬ媒体のユーザーに伝達して、ＵＲＬ媒体認証情報と２次別途情報ウィンドウをクリックして選択された２次別途情報をユーザから受信し、ＵＲＬ媒体認証情報と２次別途情報を個人ポータルサーバに伝達して、２次サイト接続ページを２次サーバーと通信して、２次サイト接続ページをユーザに伝達して、ユーザー認証情報をユーザから受信し、ユーザー認証情報を２次サーバーに伝達して、２次サイトログインページを２次サーバーと通信して、２次サイトログインページをユーザに渡すことができるスマート機器；スマート機器と接続し、個人ポータルサイト接続ページをスマート機器と通信して、ＵＲＬ媒体認証情報と２次別途情報をスマート機器から受信し、ＵＲＬとＵＲＬ媒体認証情報でログインを決定し、スマート機器情報と２次別途情報を２次サーバーと通信することができる個人ポータルサーバー；およびスマート機器情報と２次別途情報を個人ポータルサーバと通信して、２次サイト接続ページをスマート機器と通信し、ユーザー認証情報をスマート機器から受信し、個人ポータルサイトの情報やユーザー認証情報でログインを決定し、２次サイトログインページをスマート機器と通信することができる２次サーバー；を含めてＵＲＬとＵＲＬ媒体認証情報として個人ポータルサイトにログインすることと連携して個人ポータルサイトの情報やユーザー認証情報として２次サイトにログインすることを特徴とするインターネットポータルシステムを提供する。
【００１９】
図５のように、ａ）ＵＲＬ媒体が２次別途情報を含むＵＲＬをスマート機器に伝達する段階；ｂ）スマート機器が個人ポータルサーバと接続し、２次別途情報に対応する２次別途情報ウィンドウを含む個人ポータルサイト接続ページを個人ポータルサーバーと通信し、個人ポータルサイト接続ページをＵＲＬ媒体のユーザーに伝達して、ＵＲＬ媒体認証情報と２次別途情報ウィンドウをクリックして選択された２次別途情報をユーザから受信し、ＵＲＬ媒体認証情報と２次別途情報を個人ポータルサーバーに伝達する段階；ｃ）個人ポータルサーバーがＵＲＬ媒体認証情報と２次別途情報を管理し、ＵＲＬとＵＲＬ媒体認証情報でログインを決定し、スマート機器情報と２次別途情報を２次サーバーに伝達する段階；ｄ）２次サーバーがスマート機器情報と２次別途情報を管理し、２次サイト接続ページをスマート機器と通信する段階；ｅ）スマート機器が２次サイト接続ページをユーザに伝達して、ユーザー認証情報をユーザから受信し、ユーザー認証情報を２次サーバーに伝達する段階；ｆ）２次サーバーがユーザー認証情報を管理し、個人ポータルサイトの情報やユーザー認証情報でログインを決定し、２次サイトログインページをスマート機器に伝達する段階；およびｇ）スマート機器が２次サイトログインページをユーザに伝達する段階；を含めてＵＲＬとＵＲＬ媒体認証情報として個人ポータルサイトにログインすることと連携して個人ポータルサイトの情報やユーザー認証情報として２次サイトにログインすることを特徴とするインターネットポータル方法を提供する。
【００２０】
現在、ポータルを通じて２次サイトに接続する方法は、ポータルに接続して個人に対して確認することなく２次サイトを検索して接続した後に特定のサービスを探して利用する方法であるが、図２の方法は、２次サイトと関連した情報である２次別途情報を含むＵＲＬを利用して簡単に個人ポータルサイトに接続して、多重で個人を確認しつつ２次サイトに接続してすぐに特定のサービスを利用することができる。
【００２１】
図３のように、ＵＲＬと決済機能を保存して、ＵＲＬ媒体認証情報が設定されており、ＵＲＬをスマート機器に伝達して、決済機能に対応する決済情報を決済端末機に渡すことができるＵＲＬ媒体；ＵＲＬをＵＲＬ媒体から受信し、個人ポータルサーバと接続し、個人ポータルサイト接続ページを個人ポータルサーバーと通信し、個人ポータルサイト接続ページをＵＲＬ媒体のユーザーに伝達して、ＵＲＬ媒体認証情報をユーザから受信し、ＵＲＬ媒体認証情報を個人ポータルサーバに伝達し、個人ポータルサイトログインページを個人ポータルサーバーと通信し、個人ポータルサイトログインページをユーザに伝達し、２次サーバー接続要求をユーザから受信し、２次サーバーと接続し、２次サイト接続ページを２次サーバーと通信して、２次サイト接続ページをユーザに伝達して、ユーザー認証情報をユーザから受信し、ユーザー認証情報を２次サーバーに伝達して、２次サイトログインページを  ２次サーバーと通信して、２次サイトログインページをユーザに伝達して、決済意思情報をユーザから受信し、決済意思情報を２次サーバーに渡すことができるスマート機器；スマート機器と接続し、個人ポータルサイト接続ページをスマート機器と通信して、ＵＲＬ媒体認証情報をスマート機器から受信し、ＵＲＬとＵＲＬ媒体認証情報でログインを決定し、個人ポータルサイトログインページをスマート機器と通信することができる個人ポータルサーバー；スマート機器と接続し、２次サイト接続ページをスマート機器と通信し、ユーザー認証情報をスマート機器から受信し、個人ポータルサイトの情報やユーザー認証情報でログインを決定し、２次サイトログインページをスマート機器に通信し、決済意思情報をスマート機器から受信し、決済意思情報を２次連動サーバーに渡すことができる２次サーバー；決済意思情報を２次サーバーから受信し、決済情報を決済端末機から受信し、承認結果情報を決済端末機に渡すことができる２次連動サーバー；および決済情報をＵＲＬ媒体から受信し、決済情報を２次連動サーバーに伝達し、承認結果情報を２次連動サーバから受信することができる決済端末機；を含めてＵＲＬとＵＲＬ媒体認証情報として個人ポータルサイトにログインすることと連携して個人ポータルサイトの情報やユーザー認証情報として２次サイトにログインして決済することを特徴とするインターネットポータルシステムを提供する。
【００２２】
図６のように、ａ）ＵＲＬ媒体がＵＲＬをスマート機器に伝達する段階；ｂ）スマート機器が個人ポータルサーバと接続し、個人ポータルサイト接続ページを個人ポータルサーバーと通信し、個人ポータルサイト接続ページをＵＲＬ媒体のユーザーに伝達して、ＵＲＬ媒体認証情報をユーザから受信し、ＵＲＬ媒体認証情報を個人ポータルサーバに伝達する段階；ｃ）個人ポータルサーバーがＵＲＬ媒体認証情報を管理し、ＵＲＬとＵＲＬ媒体認証情報でログインを決定し、個人ポータルサイトログインページをスマート機器と通信する段階；ｄ）スマート機器が個人ポータルサイトログインページをユーザに伝達して、２次サーバー接続要求をユーザから受信し、２次サーバーと接続し、２次サイト接続ページを２次サーバーと通信し、２次サイト接続ページをユーザに伝達して、ユーザー認証情報をユーザから受信し、ユーザー認証情報を２次サーバーに伝達する段階；ｅ）２次サーバーがユーザー認証情報を管理し、個人ポータルサイトの情報やユーザー認証情報でログインを決定し、２次サイトログインページをスマート機器に伝達する段階；ｆ）スマート機器が２次サイトログインページをユーザに伝達して、決済意思情報をユーザから受信し、決済意思情報を２次サーバーに伝達する段階；ｇ）２次サーバーが決済意思情報を管理し、決済意思情報を２次連動サーバーに伝達する段階；およびｈ）決済端末機が決済機能に対応する決済情報をＵＲＬ媒体から受信し、決済情報を２次連動サーバーに伝達して；  ２次連動サーバが決済意思情報と決済情報を管理し、承認結果情報を決済端末機に伝達する段階；を含めてＵＲＬとＵＲＬ媒体認証情報として個人ポータルサイトにログインすることと連携して個人ポータルサイトの情報やユーザー認証情報として２次サイトにログインして決済することを特徴とするインターネットポータル方法を提供する。
【００２３】
ＵＲＬ媒体は、個人専用の個人ポータルサイトに他のインターネット経路を経由せずにすぐに接続できるように、個人別に割り当てられたＵＲＬをＮＦＣチップに保存した媒体である。
【００２４】
ＵＲＬの属性は、（１）身分が確認された個人に割り当てられて個人の身分を意味する個人区別情報を保有しながら個人専用の個人ポータルサイトに接続することができ、（２）接続段階でＵＲＬ媒体を通じて使用され、（３）個人の身分を区分する認証情報のように使用されるがユーザーが記憶せず、（４）個人ポータルサーバーを運営する会社が生成し、（５）ＵＲＬ媒体に保存されて使用され、（６）ＵＲＬが流出してもＵＲＬ媒体で使用しなけれたならないため不正使用が難しく、（７）ＵＲＬ媒体で管理されるためＵＲＬの紛失および流出の認知が容易であり、（８）流出された時に変更が容易であり、（９）個人区別情報と共に別途情報などのような他の情報を含むことができるため多様なサービスを創り出すことができ、（１０）個人別に割り当てられるためＵＲＬと個人のスマート機器を連係して個人を区分する方法を適用しやすく、（１１）個人が複数のＵＲＬを所有することによって各ＵＲＬに対応する複数の個人ポータルサイトを利用することができる。
【００２５】
ＵＲＬ媒体の種類は、個人の身分を代替する個人区別情報を含みつつ個人ポータルサイトに接続できるＵＲＬを保存したＵＲＬ媒体と、同じ媒体に別途機能（決済機能など）を保有しながら別途機能の別途情報（２次別途情報など）と個人区別情報を含みつつ個人ポータルサイトに接続できるＵＲＬを保存したＵＲＬ媒体と、別個の媒体である別途媒体（決済媒体など）と連携された別途情報と個人区別情報を含みつつ個人ポータルサイトに接続できるＵＲＬを保存したＵＲＬ媒体とがある。
【００２６】
個人区別情報はＵＲＬを構成する情報であって、個人の身分に代替し、ＵＲＬ媒体の種類に関わらず含まれる。
【００２７】
別途機能とはＵＲＬと連携されるものの、個人ポータルサーバーで作動する機能ではない機能を意味し、別途媒体とは別途機能を保有した媒体を意味し、別途情報とは別途媒体と関連してＵＲＬに含まれる情報を意味するが、本明細書では２次別途情報がこれに該当し、２次別途情報は個人ポータルサイトを通じて別途媒体を支援する２次サイトに接続できる情報のことを言い、２次別途情報ウィンドウは２次別途情報の使用を選択できる個人ポータルサイト接続ページに含まれたウィンドウである。
【００２８】
ＵＲＬ媒体のユーザーは身分が確認されて割り当てられたＵＲＬを保存したＵＲＬ媒体が発行された人であって、一般に２次サイトのユーザーと一致する。
【００２９】
ＵＲＬ媒体−認証情報は個人ポータルサイトにログインする時に使用する認証情報であって、ＵＲＬ媒体のユーザーがＵＲＬに対応して設定し記憶して使用し、個人ポータルサーバーはＵＲＬ媒体認証情報を確認してＵＲＬ媒体単位（＝ＵＲＬ単位）でログインを受諾する。
【００３０】
個人ポータルサイトに接続する方法は、個人ポータルサーバーが他のインターネットサイトを経由することは拒否し、ＵＲＬ媒体を使用してすぐに連結する時にのみ許諾する。
【００３１】
個人ポータルサイトに接続する時にスマート機器の情報をさらに使用する方法は、現在接続しているスマート機器の情報と以前に接続したスマート機器の情報とを比較し、同じであれば接続を受諾し、異なる場合は拒否する。
【００３２】
スマート機器を変更した場合には、個人ポータルサーバーに新しくスマート機器を登録する。
【００３３】
ＵＲＬ媒体単位でログインする方法は、個人ポータルサーバーが１段階として接続段階でＵＲＬ媒体を使用した時にのみ個人ポータルサイトに接続させ、２段階としてログイン段階でＵＲＬ別に設定されたＵＲＬ媒体認証情報を確認してログインを受諾するものであって、このような方法はＵＲＬ媒体とＵＲＬ媒体認証情報を使用するため不正な攻撃を構造的に防御できる基盤を提供する。
【００３４】
個人区別情報と２次サイト別途情報を含むＵＲＬを使用する方法は、個人区別情報と２次別途情報を含むＵＲＬを受信した個人ポータルサーバーが個人を区別した後に、２次別途情報ウィンドウを含まない個人ポータルサイト接続ページを通じて受信したＵＲＬ媒体−認証情報を確認した後、２次別途情報に対応する２次サイトを含む個人ポータルサイトログインページをスマート機器と通信して使用する方法（図３、図６参照）であるが、２次別途情報ウィンドウが含まれた個人ポータルサイト接続ページを通じてＵＲＬ媒体認証情報と２次別途情報を受信してＵＲＬ媒体認証情報を確認した後に、２次サイト別途情報を２次別途情報に対応する２次サイトに提供する（図２、図５参照）。
【００３５】
２次別途情報ウィンドウが含まれた個人ポータルサイト接続ページでＵＲＬ媒体認証情報だけを入力して伝達すると、ＵＲＬ媒体認証情報を確認した後にスマート機器と個人ポータルサイト−ログインページを通信する。
【００３６】
スマート機器は、ＮＦＣ通信をする機能と画面等を通してユーザーと情報をやり取りする機能とインターネットを利用できる機能を含んでいる電子機器であって、個人ポータルサーバーや２次サイトサーバーと通信する。
【００３７】
スマート機器情報はスマート機器の情報であって、スマート機器のＩＰや、ＯＳシリアル番号や、ＭＡＣアドレスや、機器識別情報（ＩＭＥＩ、Ｉｎｔｅｒｎａｔｉｏｎａｌ  Ｍｏｂｉｌｅ  Ｅｑｕｉｐｍｅｎｔ  Ｉｄｅｎｔｉｔｙ）等が該当し、スマート機器が個人ポータルサーバーに接続する時に提供したり、個人ポータルサーバーが２次サーバーをスマート機器に連結する時に提供する。
【００３８】
個人ポータルサーバーは、ＵＲＬ媒体の各ＵＲＬに対応する個人ポータルサイトを管理するポータル機能をするウェブサーバーである。
【００３９】
図１、図４の個人ポータルサーバーは、個人区別情報が含まれたＵＲＬを受信してスマト機器とＵＲＬ媒体認証情報を入力するウィンドウが含まれた個人ポータルサイト接続ページを通信し、受信したＵＲＬ媒体−認証情報を確認してＵＲＬ媒体単位でログインを受諾した後に２次サイト目録乃至検索機能乃至広告などが含まれた個人ポータルサイトログインページを通信する。
【００４０】
図３、図６の個人ポータルサーバーは、個人区別情報と２次別途情報を含むＵＲＬを受信してスマート機器とＵＲＬ媒体認証情報を入力するウィンドウと２次別途情報ウィンドウが含まれた個人ポータルサイト接続ページを通信してＵＲＬ媒体認証情報と２次別途情報を受信し、先にＵＲＬ媒体認証情報を確認してＵＲＬ媒体単位でログインを受諾した後、２次別途情報に対応する２次サイトの情報が含まれた個人ポータルサイトログインページを通信するが、万一、２次サイトに接続せずに個人ポータルサイトで他のサービスを利用しようとする時には、ＵＲＬ媒体認証情報のみを伝達する。
【００４１】
図２、図５の個人ポータルサーバーは、個人区別情報と２次別途情報を含むＵＲＬを受信してスマート機器とＵＲＬ媒体認証情報を入力するウィンドウと２次別途情報ウィンドウが含まれた個人ポータルサイト接続ページを通信してＵＲＬ媒体認証情報と２次別途情報を受信し、先にＵＲＬ媒体認証情報を確認してＵＲＬ媒体単位でログインを受諾した後、２次別途情報とスマート機器に対応して生成したスマート機器情報を２次別途情報に対応する２次サーバーに提供するが、万一、２次サイトに接続せずに個人ポータルサイトで他のサービスを利用しようとする時にはＵＲＬ媒体認証情報のみを伝達する。
【００４２】
図２、図５の方法は、できるだけ簡単な動作で２次サイトのサービスを利用することができるため、モバイル時代に非常に有用である。
【００４３】
前記のような個人ポータルサイトと２次サイトが連携されたサービスは、個人ポータルサーバーの運営会社と２次サイト運営会社が事前に協議してユーザーに提供できるが、このような応用例としてカード会社サイトを利用して決済を支援するインターネットポータルシステムと使用方法を図３、図６に記載した。
【００４４】
伝達−２次別途情報は、個人ポータルサーバーが受信した２次別途情報に対応して生成して２次サーバーに提供する情報である。
【００４５】
個人ポータルサーバーが保存する情報は、個人ポータルサイトの提供に必要な最小限の身上情報の他には、個人の生活情報（カード生活情報、保険生活情報、預金生活情報など）は保存せず、個人の生活情報が保存されている個人生活サイト（カード会社サイト、保険会社サイト、銀行サイトなど）に接続できる情報を提供する。
【００４６】
生活情報とは個人が生活しながら生成されてインターネット上に存在する情報を意味し、個人生活サイトとは個人の生活情報をインターネットに提供するサイトであって、カード会社サイト、保険会社サイト、銀行サイトなどを意味する。
【００４７】
個人ポータルサイトは、個人ポータルサーバーの管理を受け、ＵＲＬ媒体のユーザー専用として使用され、ＵＲＬの接続経路乃至スマート機器の情報を確認して個人ポータルサーバーが接続を受諾し、ＵＲＬに対応して設定されたＵＲＬ媒体認証情報が確認される時にＵＲＬ媒体単位でログインされるサイトであり、個人ポータルサイト接続ページと個人ポータルサイトログインページに区分され、個人は割り当てられたＵＲＬの数だけ個人ポータルサイトを利用することができ、個人ポータルサイトはインターネットに個人の身分を有するサイトが常に存在するようにし、また、２次サイトと連動して多様なサービス（例、生活情報の利用など）を提供することができる。
【００４８】
個人ポータルサイトは、２次サイトの目録や２次サイトを検索する検索機能や広告などを含むことができる。
【００４９】
２次サイトの目録は、ＵＲＬ媒体のユーザーに重要であるかまたはＵＲＬ媒体のユーザーが興味を持つ２次サイトの目録を個人ポータルサイトが体系的に提供するものであって、個人ポータルサーバーの運営会社乃至個人が作成することができ、インターネットが連結されると、どこででも使用することができる。
【００５０】
個人ポータルサイト接続ページは、個人ポータルサーバーがＵＲＬ媒体の接続を受諾することによって、ＵＲＬ媒体認証情報の確認によりＵＲＬ媒体単位でログインされる前までスマート機器と通信するページを意味し、ＵＲＬ媒体認証情報を入力するウインドウ乃至２次別途情報ウインドウ乃至ログインせずとも利用できる内容を含む。
【００５１】
個人ポータルサイトログインページは、個人ポータルサーバーがＵＲＬ媒体認証情報を確認した後にスマート機器と通信するページであって、ログインされたことを示す内容乃至２次サイト目録乃至ログインをした後に利用できる内容を含む。
【００５２】
個人ポータルサイト接続ページや個人ポータルサイトログインページは、検索機能や広告などを含むことができる。
【００５３】
２次サーバーは、２次サイトを管理するウェブサーバーである。
【００５４】
図１、図４の２次サーバーは、スマート機器の接続要請を受信し、２次サイト接続ページを通信して受信したユーザー認証情報を確認してユーザーのログインを受諾することによって２次サイトログインページを通信する。
【００５５】
図３、図６の２次サーバーは、スマート機器の接続要請を受信し、２次サイト接続ページを通信して受信したユーザー−認証情報を確認してユーザーのログインを受諾することによって２次サイトログインページを通信し、そして決済意思情報をユーザーから受信して２次連動サーバー（カード会社決済サーバー）に提供する。
【００５６】
図２、図５の２次サーバーは、個人ポータルサーバーから受信したスマート機器情報に対応するスマート機器と連結して、２次サイト接続ページを通信して受信したユーザー認証情報を確認した後、２次サイトログインページを通信し、そして受信した２次別途情報に対応する。
【００５７】
２次サイトは個人ポータルサイト以外のすべてのサイトであって、個人生活サイト（例、カード会社サイトなど）やログインしないと主要情報を利用できないログ必要サイト（例、ショッピングサイトなど）やログインせずとも主要情報を利用できる一般サイト（例、広報サイトなど）等がある。
【００５８】
２次サイト接続ページは、２次サーバーがユーザーログインとなる前までスマート機器と通信するページである。
【００５９】
ユーザー認証情報は、ユーザーが２次サイトにログインするためにユーザー単位で設定されて使用される認証情報である。
【００６０】
２次サイトログインページは、ユーザー認証情報が確認された後にスマート機器に提供される２次サイトのページであり、スマート機器が決済意思情報を２次サーバーに伝達できるウィンドウを含むことができる。
【００６１】
１段階−決済意思情報(決済意思情報)は、ＵＲＬ媒体のユーザーが２次サーバーに決済機能がある媒体（ＵＲＬ媒体：決済媒体）を利用して決済することを知らせる情報である。
【００６２】
２次サイトと個人ポータルサイトは連動して決済を支援したり、個人の情報を容易に利用できるようにしたり、個人の生活情報が変更されたことを個人サイトに自動で知らせたり、個人に特化したサービスを提供するなどの、多様かつ特定されたサービスを提供することができる。
【００６３】
２次連動サーバー（カード会社決済サーバー）は、２次サーバーと内部線路で通信するサーバーであり、図３、図６におけるカード会社決済サーバーである。
【００６４】
カード会社決済サーバーは、内部にあらかじめ保存している決済関連情報と２次サーバーで受信した２次別途情報（決済意思情報）と決済端末機から受信した決済要請情報に対応して、承認結果情報を生成して決済端末機に提供する。
【００６５】
決済関連情報は、決済機能を保有したＵＲＬ媒体乃至決済媒体と関連した情報（有効期間、決済限度など）であり、カード会社決済サーバーが内部にあらかじめ保存している。
【００６６】
承認結果情報は、ＵＲＬ媒体乃至決済媒体の決済要請（決済情報）に対応してカード会社決済サーバーが決済承認の可否を決定した情報である。
【００６７】
決済端末機はＰＯＳ端末機のようなものであって、決済機能があるＵＲＬ媒体または決済媒体の決済要請（決済情報）を決済ネットワークを通じて２次連動サーバーに提供し、２次連動サーバーから受信した承認結果情報に対応して決済を遂行する。
【００６８】
決済要請情報（決済情報）は、決済端末機がＵＲＬ媒体や決済媒体から受信した決済要請に対応して２次連動サーバーに提供する情報である。
【００６９】
決済媒体は、決済機能を保有したクレジットカード、チェックカードなどやモバイルカードを意味し、決済端末機に決済要請（決済情報）を提供する。
【００７０】
決済要請は、ＵＲＬ媒体や決済媒体が保有した情報を決済端末機に提供して決済を要請することを意味する。
【符号の説明】
【００７１】
１１０，  ２１０，  ３１０，  ７１０，  １０１０，  １３１０，  ２１１０：  ＵＲＬ媒体
１３０，  ２３０，  ３３０，  ７３０，  １０３０，  １３３０，  ２１３０：  スマート機器
１４０，  ２４０，  ３４０，  ７４０，  １０４０，  １３４０，  ２１４０：  個人ポータルサーバー（個人ポータルサイト）
１２０，  ２２０，  ３２０，  ７２０，  １０２０，  １３２０：  ユーザー
１５０，  ２５０，  ３５０，  ７５０，  １０５０，  １３５０：  ２次サーバー（２次サイト）
３７０，  １３７０：  ２次連動サーバー（カード会社決済サーバー）
３６０，  １３６０：  決済端末機
【図１】
0006782794.tif 000002
【図２】
0006782794.tif 000003
【図３】
0006782794.tif 000004
【図４】
0006782794.tif 000005
【図５】
0006782794.tif 000006
【図６】
0006782794.tif 000007